(57)【要約】      （修正有）【課題】例えば錠内部のラッチボルトが破断した際、その異状状態を外部から容易に確認可能にするとともに、その異状時でも施解錠可能にして、その応急的な使用と異状時における防御機能と防犯機能を確保し得るドア錠を提供する。【解決手段】ドア１の内部に出没可能に収容したラッチボルト１６を有する。ラッチボルト１６の後端部に係合可能なカムアーム５４を有し、かつレバーハンドルに連係するラッチカム５３有する。ラッチボルト１６の中間部と後端部に、係合ピン２４，２５と係合突起２９，３０を設ける。係合ピン２４，２５と、係合突起２９，３０に係合可能な係合孔３５，３６と、切欠溝３９，４０とを形成した連結板３４を設ける。連結板３４をラッチボルト１６に係合かつ移動可能に装着する。カムアーム５４を連結板３４の後端部に係合可能に設ける。【選択図】図１
2011026789.tif 000002
【特許請求の範囲】
【請求項１】
ドアの内部に出没可能に収容したラッチボルトと、該ラッチボルトの後端部に係合可能なカムア−ムを有し、かつレバ−ハンドルに連係するラッチカムと、を備えたドア錠において、前記ラッチボルトの中間部と後端部に係合ピンと係合突起を設け、前記係合ピンと係合突起に係合可能な係合孔と切欠溝とを形成した連結板を設け、該連結板を前記ラッチボルトに係合かつ移動可能に装着し、かつ前記カムア−ムを前記連結板の後端部に係合可能に設けたことを特徴とするドア錠。
【請求項２】
前記ラッチボルトの前端部にチェックマ−クを配置した請求項１記載のドア錠。
【請求項３】
前記チェックマ−クをラッチボルトの前端部の平坦面に設けた請求項１記載のドア錠。
【請求項４】
前記チェックマ−クをラッチボルトの内側面若しくは外側面または内外両側面に設けた請求項１記載のドア錠。
【請求項５】
開扉時に前記チェックマ−クをドアの内側または外側から視認可能に配置した請求項２または請求項３記載のドア錠。
【請求項６】
前記ラッチボルトの後部の破断時、前記連結板を介して施解錠可能にした請求項１記載のドア錠。
【請求項７】
前記ラッチボルトの開扉時におけるドアからの突出変位を、前記ラッチボルトの破断の前後で相違させた請求項６記載のドア錠。
【請求項８】
前記ラッチボルトの破断後の前記突出変位を、前記ラッチボルトの破断前より大きく設定した請求項７記載のドア錠。
【請求項９】
前記チェックマ−クを、ラッチボルトの破断前はドアの内部に隠蔽可能に設け、ラッチボルトの破断後にドアの外部に表出可能にした請求項８記載のドア錠。
【発明の詳細な説明】
【技術分野】
【０００１】
本発明は、例えば錠内部のラッチボルトが破断した際、その異状状態を外部から容易に確認可能にし、その異状時でも施解錠可能にして、その応急的な使用と異状時における防御機能と防犯機能を確保し得るようにしたドア錠に関する。
【背景技術】
【０００２】
ラッチボルトを機械的に作動させるドア錠は、一般に各構成部品が堅牢に構成され、長期に亘る使用に堪えられるように構成されている。
しかしながら、例えば多くの人が出入りする事務所や会社のドア錠は、使用頻度が激しく、構成部品が衝撃や交番荷重を絶えず受けて疲労を蓄積し、遂には疲労限界に達して破断することが知られている。
【０００３】
このような構成部品の破断は、施解錠作動に大きな影響を及ぼすが、なかでもラッチボルトの破断は、ドアの開閉および施解錠に支障を来して重大である。
前記ラッチボルトは、比較的強度の低いラッチカムとの連係部で破断することが多く、当該部が開扉時に破断した場合は、ラッチボルトをドアに引き込むことができず、閉扉ないし施錠できなくなる。
また、前記連係部が閉扉時に破断した場合は、ラッチボルトをドアに引き込むことができず、解錠ないし開扉できなくなり、室内またはドアの内側に人が閉じ込められてしまう惧れがある。
【０００４】
このような問題を解決するものとして、ドアの外側から丸座カバ−を取り外し、表出したスライドカムと操作窓との間にドライバ−等の工具を差し込み、スライドカムを押し上げてラッチシャフトを強制的に後退させ、解錠するようにしたドア錠の非常解錠機構を出願人は既に提案している（例えば、特許文献１参照）。
【０００５】
しかし、前記解錠機構は、工具でラッチボルトを移動可能な場合に対応可能で、ラッチボルトがラッチシャフト付近で破断した場合は、依然として施錠状態に置かれて対応できない。  
【先行技術文献】
【特許文献】
【０００６】
【特許文献１】実公平５−４５７２４号公報
【発明の概要】
【発明が解決しようとする課題】
【０００７】
本発明はこのような問題を解決し、例えば錠内部のラッチボルトが破断した際、その異状状態を外部から容易に確認可能にし、その異状時でも施解錠可能にして、その応急的な使用と異状時における防御機能と防犯機能を確保し得るようにしたドア錠を提供することを目的とする。
【課題を解決するための手段】
【０００８】
請求項１の発明は、ドアの内部に出没可能に収容したラッチボルトと、該ラッチボルトの後端部に係合可能なカムア−ムを有し、かつレバ−ハンドルに連係するラッチカムと、を備えたドア錠において、前記ラッチボルトの中間部と後端部に係合ピンと係合突起を設け、前記係合ピンと係合突起に係合可能な係合孔と切欠溝とを形成した連結板を設け、該連結板を前記ラッチボルトに係合かつ移動可能に装着し、かつ前記カムア−ムを前記連結板の後端部に係合可能に設け、錠前内部のラッチボルトの後部が破断した異状時、連結板を介してラッチボルトを進退動可能にし、前記異状時でも応急的な施解錠を実現可能にし、ドア錠の使用を確保するようにしている。
【０００９】
請求項２の発明は、前記ラッチボルトの前端部にチェックマ−クを配置し、チェックマ−クによってラッチボルトの破断等の異状事態を容易に知り得るようにしている。
請求項３の発明は、前記チェックマ−クをラッチボルトの前端部の平坦面に設け、チェックマ−クの表出時にラッチボルトを扉枠体に当接させて閉扉不可能に構成し、異状状態を強制的に認識可能にしている。
請求項４の発明は、前記チェックマ−クをラッチボルトの内側面若しくは外側面または内外両側面に設け、チェックマ−クの視認を促すようにしている。
請求項５の発明は、開扉時に前記チェックマ−クをドアの内側または外側から視認可能に配置し、ドアの内外側からの視認を促すようにしている。
【００１０】
請求項６の発明は、前記ラッチボルトの後部の破断時、前記連結板を介して施解錠可能にし、前記破断時における施解錠を実現可能にしている。
請求項７の発明は、前記ラッチボルトの開扉時におけるドアからの突出変位を、前記ラッチボルトの破断の前後で相違させ、ラッチボルトの破断の有無を視覚的に容易に認識可能にしている。
請求項８の発明は、前記ラッチボルトの破断後の前記突出変位を、前記ラッチボルトの破断前より大きく設定し、ラッチボルトの破断を視覚的かつ確実に認識可能にしている。
請求項９の発明は、前記チェックマ−クを、ラッチボルトの破断前はドアの内部に隠蔽可能に設け、ラッチボルトの破断後にドアの外部に表出可能にし、チェックマ−クの表出の有無によって、ラッチボルトの破断を容易に知り得るようにしている。
【発明の効果】
【００１１】
請求項１の発明は、ラッチボルトの中間部と後端部に係合ピンと係合突起を設け、前記係合ピンと係合突起に係合可能な係合孔と切欠溝とを形成した連結板を設け、該連結板を前記ラッチボルトに係合かつ移動可能に装着し、かつ前記カムア−ムを前記連結板の後端部に係合可能に設けたから、錠前内部のラッチボルトの後部が破断した異状時、連結板を介してラッチボルトを進退動可能にし、前記異状時でも応急的な施解錠を実現し、ドア錠の使用を確保することができる。
【００１２】
請求項２の発明は、前記ラッチボルトの前端部にチェックマ−クを配置したから、チェックマ−クによってラッチボルトの破断等の異状事態を容易に告知させることができる。
請求項３の発明は、前記チェックマ−クをラッチボルトの前端部の平坦面に設けたから、チェックマ−クの表出時にラッチボルトを扉枠体に当接させて閉扉不可能に構成し、異状状態を強制的に認識させることができる。
請求項４の発明は、前記チェックマ−クをラッチボルトの内側面若しくは外側面または内外両側面に設けたから、チェックマ−クの視認を促すことができる。
請求項５の発明は、開扉時に前記チェックマ−クをドアの内側または外側から視認可能に配置したから、ドアの内外側からの視認を促すことができる。
【００１３】
請求項６の発明は、前記ラッチボルトの後部の破断時、前記連結板を介して施解錠可能にしたから、前記破断時における施解錠を実現することができる。    
請求項７の発明は、前記ラッチボルトの開扉時におけるドアからの突出変位を、前記ラッチボルトの破断の前後で相違させたから、ラッチボルトの破断の有無を視覚的に容易に認識させることができる。
請求項８の発明は、前記ラッチボルトの破断後の前記突出変位を、前記ラッチボルトの破断前より大きく設定したから、ラッチボルトの破断を視覚的かつ確実に認識させることができる。
請求項９の発明は、前記チェックマ−クを、ラッチボルトの破断前はドアの内部に隠蔽可能に設け、ラッチボルトの破断後にドアの外部に表出可能にしたから、チェックマ−クの表出の有無によって、ラッチボルトの破断を容易に知ることができる。
【図面の簡単な説明】
【００１４】
【図１】本発明を適用したドア錠の施錠状態を示す断面図で、ラッチボルトの破断前の状況を示している。
【図２】図１のＡ−Ａ線に沿う断面図である。
【図３】本発明を適用したドア錠の正面図である。
【図４】本発明に適用したラッチボルトと連結板の組み立て状態を示す斜視図である
【図５】本発明に適用したラッチボルトを示す斜視図である。
【００１５】
【図６】本発明に適用したラッチボルトの平面図である。
【図７】本発明に適用した連結板を示す斜視図である。
【図８】本発明に適用した連結板の平面図である。
【図９】本発明を適用したドア錠の開扉状態を示す断面図で、ラッチボルトの破断前の状況を示している。
【図１０】本発明に適用したラッチボルトの破断状況を示す平面図である。
【００１６】
【図１１】本発明を適用したドア錠の断面図で、ラッチボルトの破断後の解錠状態を示している。
【図１２】本発明を適用したドア錠の開扉状態を示す断面図で、ラッチボルトの破断後の状況を示している。
【図１３】本発明を適用したドア錠の施錠状態を示す断面図で、ラッチボルトの破断後の状況を示している。
【発明を実施するための形態】
【００１７】
以下、本発明を玄関のドア錠に適用した図示の実施形態について説明すると、図１乃至図１３において１は玄関のドアで、蝶番（図示略）を介して吊元側を回動可能に取付けられ、該ドア１の他側端部に矩形の錠取付穴２が形成され、該取付穴２に錠前３が埋設されている。
前記錠前３は、錠ケ−ス４を錠カバ−５で閉蓋して箱形に形成され、該錠ケ−ス４は鋼板を略箱形にプレス成形し、その周囲に側片６を起立成形している。
【００１８】
図中、７は側片６，６の端面に接合した取付板で、ドア１の側端面に形成した凹溝８に収容され、その中間部を内側に折り曲げた屈曲片７ａ，７ａを側片６，６の端部内面に溶接しており、この一方の屈曲片７ａの端部に後述する緩衝ゴムを当接可能にしている。
前記取付板７に前面板９が重合して配置され、その上下端部のビス孔１０，１０から取付ネジ１１がドア１の側端面にねじ込まれている。
【００１９】
前記取付板７と前面板９の中高部に、縦長矩形のラッチボルト挿通孔１２，１３と横長矩形のトリガ−挿通孔１４，１５とが上下位置に形成され、これらにラッチボルト１６またはデッドボルトと、ラッチトリガ−１７とが出入り可能に配置されている。
図中、１８はドア１の閉扉時の側端面に対向して配置した枠体で、その中高部に凹所１９が形成され、該凹所１９にラッチボルト１６の前部を収容可能な鋼板製のトロヨケ２０が取り付けられている。
【００２０】
前記ラッチボルト１６は亜鉛合金ダイカストによって堅牢に構成され、その前部は内外両面が平行な平坦部１６ａを有する肉厚のブロック体に成形され、その先端の内外面を同一のテ−パ面ないし曲線に形成した略放物線状の断面に成形し、その先端部から内外面に亘る中間部に合成樹脂製の緩衝キャップ２１を装着している。
【００２１】
図中、２２はラッチボルト１６の平坦部１６ａの内外位置に設けたチェックマ−クで、凹部若しくは凹部に適宜色を塗装して、ラッチボルト１６のトラブルの発生、実施形態では破断の有無を開扉時に容易に確認可能にしている。
すなわち、ラッチボルト１６が破断しない正常時に開扉した際は、図９のようにチェックマ−ク２２がドア１の内側に隠蔽されて視認不可能にされ、一方、ラッチボルト１６の破断後に開扉した際は、図１２のようにチェックマ−ク２２がドア１の外側に表出して、ドア１の内外方向から視認可能にされ、ラッチボルト１６の破断を確認可能にしている。
【００２２】
前記ラッチボルト１６の中間部に張出ブロック２３が後方に延設され、その表面は周囲から若干陥没して形成され、その凹面部２３ａ上に後述する連結板の前端部を収容可能にしている。
前記凹面部２３ａの後部側に係合ピン２４，２５が離間して突設され、このうち係合ピン２４は長円形断面に形成され、その長軸をラッチボルト１６の移動方向と直交方向に配置し、該係合ピン２４より若干後方に係合ピン２５を突設し、これら係合ピン２４，２５に前記連結板を掛け止め可能にしている。この場合、係合ピン２４，２５の何れか一方、例えば係合ピン２５を省略することも可能である。
【００２３】
前記張出ブロック２３の端部に、スライド脚２６，２７が離間して後方に突設され、それらの後端部に架橋片２８を架け渡して、スライド脚２６，２７を連結している。
前記スライド脚２６の一側面、つまり上面の中間部に段部２６ａが形成され、該段部２６ａより後方を若干小高に形成している。前記スライド脚２７の一側面、つまり上面は平坦面に形成され、また架橋片２８の一側面、つまり上面に係合突起２９，３０が離間して突設されている。
【００２４】
前記係合突起２９は細長矩形断面に形成され、その長軸をラッチボルト１６の移動方向と直交方向に配置し、また架橋片２８の先端部に略半月状断面の係合突起３０が配置され、これらの係合突起２９，３０に後述する連結板の後端部を掛け止め可能にしている。  この場合、係合突起２９，３０の何れか一方、例えば係合突起３０を省略することも可能である。
【００２５】
図中、３１は張出ブロック２３の一側に突設したスライドガイドで、その側端部にストッパ片３１ａが突設され、その前端部を緩衝ゴム６６を介して屈曲片７ａに係合可能に形成され、ラッチボルト１６の施錠時の突出変位を規制可能にしている。
図中、３２は前記スライドガイド３１の後端部に形成した係合溝で、錠ケ−ス４に突設した係止ピン３３に係合可能に配置されている。
そして、これらスライド脚２６，２７、架橋片２８、スライドガイ３１の他側面、つまり底面は、平滑な同一平面状に形成され、錠ケ−ス４上を円滑に摺動可能にされている。
【００２６】
前述の連結板３４は鋼板をプレス成形して略コ字形に形成され、その前端部は前記凹面部２３ａの平面形状と略同形に形成され、その中間部に矩形の係合孔３５と長孔状の係合孔３６が形成され、これらに前記係合突起２４，２５を係合可能に挿入している。
【００２７】
前記連結板３４の前端部の一側から、スライド脚２６と略同幅の細長の脚片３７が後方に延設され、その断面形状を略Ｚ字状に形成していて、その中間部の屈曲部３７ａを前記段部２６ａ上に重合して配置している。
前記脚片３７の端部に脚片３７と直交する屈曲片３８が形成され、該屈曲片３８は架橋片２８と略同幅に形成され、その中間部に係合突起２９と係合可能な切欠溝３９が形成され、その先端部に係合突起３０と係合可能な略半円状の切欠溝４０が形成されている。
【００２８】
図中、４１は連結板３４の前端部に形成した切欠部で、後述の制御板の先端部に係合可能に形成されている。４２は錠ケ−ス４の中間部に立設した仕切板で、ラッチボルト１６のスライド脚２６，２７と架橋片２８との間のスプリングハウス４３に配置され、その端部に錠カバ−５の中間部が掛け止められている。
前記スプリングハウス４３にスプリング４４が収容され、その両端を仕切板４２とスプリングハウス４３の前部壁に配置し、その弾性によってラッチボルト１６を前方へ突出可能に付勢している。
【００２９】
図中、４５，４６は錠ケ−ス４に立設した枢支ピンで、枢支ピン４５にロックプレ−ト４７の一端が回動可能に枢着され、ロックプレ−ト４７の先端部をラッチボルト１６の中間部に形成した切欠溝４８に係合可能にしている。
一方、前記枢支ピン４６にバネアンカ−４９の一端が枢着され、その他端にバネ受５０が設けられ、該バネ受５０とロックプレ−ト４７の起立片５１に、捩りバネ５２の両端が掛け止められている。
【００３０】
前記捩りバネ５２は前記枢支ピン４５に取付けられ、該捩りバネ５２の弾性を介してロックプレ−ト４７を枢支ピン４５を中心に図１上時計方向へ回動可能に付勢し、その先端部を前記切欠溝４８に係合可能に配置して、ラッチボルト１６の後退を阻止し、施錠状態を維持可能にしている。
【００３１】
一方、錠ケ−ス４の枢支穴（図示略）にラッチカム５３の枢軸が回動可能に枢支され、その一端部５３ａがバネアンカ−４９の一端に係合可能に配置され、この他端のカムア−ム５４が前記スライド脚２７の直上に突出し、仕切板４２と、架橋片２８および屈曲片３８の内面の双方に係合可能に配置され、スライド脚２６，２７の破断に対応可能にている
図中、５５はラッチカム５３の枢軸に形成した角穴で、該角穴５５にレバ−ハンドル（図示略）に連係する角芯棒５６が挿入されている。
【００３２】
前記ラッチカム５３の枢軸の周面に切欠溝（図示略）が形成され、該切欠溝にロックプレ−ト４７の基端に形成した係合爪４７ａが係合可能に配置され、図１の時計方向へ回動するラッチカム５３の解錠時に、ロックプレ−ト４７を枢支ピン４５を中心に反時計方向へ回動し、ロックプレ−ト４７の先端部と切欠溝４８との係合を解除し、ラッチボルト１６を後退可能にしている。
【００３３】
一方、前記ラッチトリガ−１７は、合成樹脂製のトリガ−ブロック５７の前部に略山形の尖端形状に成形され、該トリガ−ブロック５７とバネ受５０との間にトリガ−スプリング５８が介挿され、該スプリング５８の弾性を介して、トリガ−ブロック５７を前方へ突出可能に付勢している。
【００３４】
前記トリガ−ブロック５７の一側に張出ブロック５９が形成され、該ブロック５９の上面に係止ピン６０が突設され、また錠ケ−ス４の前部に枢支ピン６１が立設されていて、該枢支ピン６１に制御板６２が回動自在に枢着されている。
前記張出ブロック５９の側端部にガイド溝（図示略）が切欠かれ、該ガイド溝にラッチボルト１６の側端部に突設した係止突起６３を係入可能にされ、ラッチボルト１６の後退動にトリガ−ブロック５７を同動可能にしている。
【００３５】
前記制御板６２は略レ字形状に形成され、その前端部を枢支ピン６１で枢支され、この前端部から後方に細長の延設部６２ａを突設し、この延設部６２ａの内側端面に係止ピン６０を係合可能に配置している。
したがって、制御板６２はラッチボルト１６の解錠ないし後退時に、枢支ピン６１を中心に時計方向へ回動して、延設部６２ａの基部に形成した係合溝６４に係入し、かつ延設部６２ａの先端部を切欠部４１に係合し、連結板３４ないしラッチボルト１６の突出を阻止可能にしている。
【００３６】
一方、制御板６２はラッチボルト１６の施錠ないし突出時には、ラッチトリガ−１７が枠体１８に当接して係止ピン６０が係合溝６４から離れ、枢支ピン６１を中心に時計方向へ回動して、延設部６２ａの先端部が切欠部４１の隅角部との係合を解除し、ラッチボルト１６の施錠ないし突出を促すようにしている。
この他、図中、６５は錠ケ−ス４に形成した通孔、Ｐ１，Ｐ２はスライド脚２６，２７の破断部で、それらの破断位置を経験的にスライド脚２６の先端部と、スライド脚２７の前端部に推定している。
【００３７】
このように構成したドア錠は、既設のドア錠の構成部品のうち、ラッチボルト１６の一部を改変し、連結板３４を新設することで対応している。
すなわち、ラッチボルト１６の前部を、内外両面が平行な平坦部１６ａを有する肉厚のブロック体に成形し、その先端の内外面を同一のテ−パ面ないし曲線の略放物線状の断面に成形し、その平坦部１６ａの内外位置に、凹部若しくは該凹部に適宜色を塗装したチェックマ−ク２２を設ける。
【００３８】
前記チェックマ−ク２２は、ラッチボルト１６のトラブルの発生、実施形態では破断の有無を開扉時に容易に確認可能にしており、ラッチボルト１６が破断しない正常時の開扉時には、図９のようにチェックマ−ク２２がドア１の内側に隠蔽されて視認不可能になる
一方、ラッチボルト１６の破断後に開扉した際は、図１２のようにチェックマ−ク２２がドア１の外側に表出して、ドア１の内外方向から視認可能にされ、ラッチボルト１６の破断を確認可能にする。
【００３９】
前記ラッチボルト１６の中間部に張出ブロック２３を後方に延設し、その表面を周囲から若干陥没して形成し、その凹面部２３ａ上に連結板３４の前端部を収容可能にする。
前記凹面部２３ａの後部側に係合ピン２４，２５を離間して突設し、このうち係合ピン２４を長円形断面に形成し、その長軸をラッチボルト１６の移動方向と直交方向に配置し、また前記係合ピン２４より若干後方に係合ピン２５を突設し、これら係合ピン２４，２５に連結板３４掛け止め可能にする。この場合、係合ピン２４，２５の何れか一方、例えば係合ピン２５を省略することも可能である。
【００４０】
前記張出ブロック２３の端部に、スライド脚２６，２７を離間して後方に延設し、それらの後端部に架橋片２８を架け渡して、スライド脚２６，２７を連結する。
前記スライド脚２６の一側面、つまり上面の中間部に段部２６ａを形成し、該段部２６ａより後方を若干小高に形成し、またスライド脚２７の一側面を平坦面に形成し、架橋片２８の一側面、つまり上面に係合突起２９，３０を離間して突設する。
【００４１】
このうち、係合突起２９を細長矩形断面に形成し、その長軸をラッチボルト１６の移動方向と直交方向に配置し、また架橋片２８の先端部に略半月状断面の係合突起３０を形成し、これらの係合突起２９，３０に連結板３４の後端部を掛け止め可能にする。
この場合、係合突起２９，３０の何れか一方、例えば係合突起３０を省略することも可能である。
【００４２】
また、張出ブロック２３の一側にスライドガイド３１を突設し、その先端部に係合溝３２を形成し、係止ピン３３に係合可能に配置する。
前記スライド脚２６，２７、架橋片２８、スライドガイ３１の他側面、つまり底面を平滑な同一平面状に形成し、錠ケ−ス４上を円滑に摺動可能にする。
【００４３】
一方、鋼板をプレス成形して連結板３４を略コ字形に形成し、その前端部を前記凹面部２３ａの平面形状と略同形に形成し、その中間部に矩形の係合孔３５と長孔状の係合孔３６を形成し、これらに前記係合突起２４，２５を係合可能にする。
【００４４】
前記連結板３４の前端部の一側から、スライド脚２６と略同幅の細長の脚片３７を後方に延設して、その断面形状を略Ｚ字状に形成し、その中間部の屈曲部３７ａを前記段部２６ａ上に重合可能にする。
前記脚片３７の端部に脚片３７と直交する屈曲片３８を形成し、該屈曲片３８を架橋片２８と略同幅に形成し、その中間部に係合突起２９と係合可能な切欠溝３９を形成し、その先端部に係合突起３０と係合可能な略半円状の切欠溝４０を形成する。
【００４５】
このように本発明は、既設の構成部品のうち、ラッチボルト１６の一部を改変し、連結板３４を新設することで対応し得るから、これを容易かつ安価に製作し得る。
このようなラッチボルト１６と連結板３４を用いてドア錠を組み立てる場合は、ラッチボルト１６を錠ケ−ス４側からラッチボルト挿通孔１２に挿入し、スプリングハウス４３内に仕切板４２を組み付け、該仕切板４２とスプリングハウス４３の前端部との間にスプリング４４を挿入し、該スプリング４４の弾性を介してラッチボルト１６を前方へ付勢する。
【００４６】
次に、ラッチボルト１６の凹面部２３ａに連結板３４の前端部を収容し、その係合孔３５，３６に係合ピン２４，２５を挿入する。また、脚片３７を一方のスライド脚２７上に収容し、その屈曲片３８を架橋片２８上に配置し、切欠溝３９を係合突起２９に係合し、切欠溝４０を係合突起３０に係合する。この組み立て状況は図４のようである。
【００４７】
この後、錠ケ−ス４に係止ピン３３と、枢支ピン４５，４６，６１を取り付け、枢支ピン４５にロックプレ−ト４７の基端部を枢着し、枢支ピン４６にバネアンカ−４９の基端部を枢着する。
【００４８】
また、ラッチトリガ−１７を錠ケ−ス４側からトリガ−挿通孔１４に挿入し、バネ受５０とトリガ−ブロック５７との間にトリガ−スプリング５８を介挿し、該スプリング５８の弾性を介して、ラッチトリガ−１７を前方へ付勢する。
更に、前記枢支ピン６１に制御板６２の基端部を枢着し、その延設部６２ａを張出ブロック５９上に回動可能に収容する。
【００４９】
この後、ラッチカム５３の枢軸を錠ケ−ス４の枢支穴（図示略）に回動可能に枢着し、その一端部５３ａをバネアンカ−４９の一端に係合可能に配置し、他端のカムア−ム５４をスライド脚２７の直上に配置し、かつ該カムアーム５４を仕切板４２と、架橋片２８および屈曲片３８の内面の双方に係合可能に配置して、スライド脚２６，２７の破断に対応可能にする。
【００５０】
こうして、各部品を錠ケ−ス４に収容後、その開口部を錠カバ−５で閉蓋し、この錠アセンブリを取付穴２に収容後、取付板７に前面板９を重合し、その上下端部のビス孔に取付ネジ１１を挿入し、これをドア１の側端面にねじ込んで固定する。
【００５１】
ドア１にドア錠３を取り付け後、外側のレバ−ハンドル（図示略）に連係する角芯棒５６をドア１の外側からラッチカム５３の角穴５５に挿入し、その貫通部に内側のレバ−ハンドル（図示略）の軸筒部を係合し、それらをビス止めして内外のレバ−ハンドルを同期回動可能に連結する。
【００５２】
こうしてドア１に取り付けた開扉時のドア錠３は図９のようで、ラッチボルト１６がスプリング４４の弾性によって前方へ付勢され、またラッチトリガ−１７がトリガ−スプリング５８の弾性によって前方へ付勢されている。
【００５３】
このため、係止ピン６０が係合溝６４に係入し、枢支ピン６１を中心に制御板６２を外側へ押し回し、延設部６２ａの先端部を切欠部４１に係合して、ラッチボルト１６の前方への突出変位を規制している。
この状況は図９のようで、この場合はチェックマ−ク２２はドア１の内側に移動して隠蔽され、ドア１の内外から視認できない。
したがって、この状況ではラッチボルト１６は正常状態に置かれ、破断等のトラブルは発生していない。
【００５４】
この後、ドア１を閉鎖すると、ラッチボルト１６の先端部のテ−パ部がトロヨケ１９のフランジ部の滑走面に係合し、スプリング４４を押し縮めてドア１の内側へ後退し、前記切欠部４１と延設部６２の先端との係合を解除する。
一方、ラッチトリガ−１７は枠体１８の前面に係合し、トリガ−スプリング５８を押し縮めてドア１の内側へ後退する。その際、係止ピン６０が係合溝６４から離脱して延設部６２の端面に係合し、枢支ピン６１を中心に制御板６２が図９上時計方向へ回動して、延設部６２の先端部が前記切欠部４１の係合域から避退する。
【００５５】
このため、ラッチボルト１６がスプリング４４の弾性によって前方へ突出し、トロヨケ２０内に係入し、ストッパ片３１ａの前端が緩衝ゴム６６を介して屈曲片７ａに当接したところで、ラッチボルト１６が突出を停止し、施錠状態を形成する。
その際、ロックプレ−ト４７の先端部が切欠溝４８に係合し、基端部の係合爪４７ａが
ラッチカム５３の枢軸周面の切欠溝に係合し、ラッチボルト１６の後退を阻止して、施錠状態を形成する。この状況は図１のようである。
【００５６】
このような施錠状態からドア１を開放する場合は、レバ−ハンドル（図示略）を開回動して角芯棒５６を図１上時計方向へ回動し、これにラッチカム５３のカムア−ム５４を同動させて、屈曲片３８と架橋片２８の内面に当接する。
【００５７】
この後、スプリング４４の弾性に抗して、レバ−ハンドル（図示略）を更に同方向へ回動し、係合爪４７ａを介し枢支ピン４５を中心にロックプレ−ト４７を反時計方向へ回動し、その先端部と切欠溝４８との係合を解除し、ラッチボルト１６を後退可能させてトロヨケ２０から引き抜けば解錠され、開扉可能になる。
【００５８】
このようなドア錠の使用状態において、経年的にラッチボルト１６に応力と疲労が蓄積し、その疲労限界に達すると、スライド脚２６の後端部とスライド脚２７の先端部が破断し、それらの破断部Ｐ１，Ｐ２を境にラッチボルト１６の後端部が錠ケ−ス４に脱落し、当該位置に連結板３４の屈曲片３８が残留する。
この状況は図１１のようで、前記ラッチボルト１６の破断は外部からは察知し得ない。
【００５９】
このようにラッチボルト１６の後端部が破断した場合、連結板３４を有しない従来のドア錠は、解錠時にレバ−ハンドル（図示略）を回動操作し、これにカムア−ム５４を同動させても、カムア−ム５４が架橋片２８に係合し得ず、ラッチボルト１６を後退できないから解錠不能になり、ユ−ザが室内に閉じ込められる事態が生じる。
【００６０】
本発明は前述の場合でも、従来通りレバ−ハンドル（図示略）を回動操作し、カムア−ム５４を同動させれば解錠かつ開扉可能である。
すなわち、レバ−ハンドル（図示略）を回動操作し、これにラッチカム５３を同動させて、ロックプレ−ト４７による係合を解除し、ラッチボルト１６を後退可能にするとともに、カムア−ム５４を連結板３４の屈曲片３８に係合する。
【００６１】
このようにすると、前記屈曲片３８を介して連結板３４がドア１の内側方向へ移動し、連結板３４が係合孔３５，３６の長さ分移動したところで、係合孔３５，３６の口縁部が係合突起２４，２５に係合し、ラッチボルト１６が連結板３４に牽引可能になる。
したがって、ドア１の内部では、連結板３４の前端部が移動して、ラッチボルト１６の凹面部２３ａが表出する。
【００６２】
この後、スプリング４４の弾性に抗してレバ−ハンドルを同方向へ回動すると、連結板３４がドア１の内側方向へ移動し、これにラッチボルト１６が引き動かされて後退し、トロヨケ１９から引き抜かれて解錠し、開扉可能になる。
その際、ラッチボルト１６の後退変位にトリガ−ブロック５７が引き動かされ、係止ピン６０が係合溝６４に係合する。この状況は図１１のようである。
【００６３】
このような解錠時から、レバ−ハンドルを復帰回動して仕切板４２に当接させると、カムア−ム５４と屈曲片３８との係合が解除され、ラッチボルト１６がスプリング４４によって前方へ突出し、連結板３４の切欠部４１に制御板６２の延設部６２ａの先端が係合したところで、ラッチボルト１６が移動を停止する。
この場合、ドア１の端面からのラッチボルト１６の突出変位Ｈは、ラッチボルト１６の破断前の突出変位ｈよりも大きく、係合孔３５，３６の長さ分前方へ突出している。
【００６４】
このため、ラッチボルト１６の前部に設けたチェックマ−ク２２が、ドア１の端面より前方に表出し、これをドア１の内外から視認し得る。
この状況は図１２のようで、チェックマ−ク２２の視認によって、ラッチボルト１６のトラブル発生、つまりラッチボルト１６の後端部の破断を知り得る。そこで、ユ−ザは上記事実をサ−ビスマンに連絡し、その修理を依頼し得る。
【００６５】
このようなラッチボルト１６の異状突出は、前記チェックマ−ク２２の視認によってもユ−ザが把握し得ない場合があり得、その場合はドア１を閉扉することによって始めて異状事態を認識する。
すなわち、前記図１２の開扉状態から閉扉操作すると、チェックマ−ク２２周辺のラッチボルト１６の平坦部が、枠体１８またはトロヨケ２０のフランジ部の端縁に当接して閉扉できなくなり、始めて異状を認識する。
【００６６】
そこで、ユ−ザが上記事実をサ−ビスマンに連絡し、サ−ビスマンがチェックマ−ク２２の視認の有無を問い合わせることで、サ−ビスマンがラッチボルト１６の破断の事実を確認し、これをユ−ザに告知して修理に対応する。
このようにラッチボルト１６の前端部に設けたチェックマ−ク２２の有無を視認することで、ラッチボルト１６の破断の有無を容易に確認でき、合理的な修理点検等のメンテナンスを行なえる。
【００６７】
一方、このようにラッチボルト１６が破断しても、前述のような解錠および開扉を含め、ドア錠１の応急的な使用が可能である。
すなわち、前記図１２の開扉状態から施錠する場合は、レバ−ハンドルを操作してラッチカム５３を開回動し、カムア−ム５４を屈曲片３８に係合し、連結板３４を介しラッチボルト１６を後退させながらトロヨケ２０内に係入して、ドア１を閉鎖する。
【００６８】
その際、ラッチトリガ−１７が枠体１８の前面に係合し、トリガ−スプリング５８を押し縮めてドア１の内側へ後退し、また係止ピン６０が係合溝６４から離脱して延設部６２の端面に係合し、制御板６２が枢支ピン６１を中心に図１２上時計方向へ回動して、延設部６２の先端部が切欠部４１の係合域から避退し、ラッチボルト１６を突出可能にする。
【００６９】
こうしてドア１の閉鎖後、レバ−ハンドルを手離すと、ラッチボルト１６がスプリング４４によって前方へ突出し、ストッパ片３１ａが緩衝ゴム６６を介して屈曲片７ａの端部に当接して停止する。
この場合、ラッチボルト１６の施錠時の突出変位は破断の有無に関係無く一定で、図１の突出変位と同一である。前記ラッチボルト１６の突出後、ロックカム４７の先端部が切欠溝４８に係合し、他端がラッチカム５３の枢軸の切欠溝に係合して、ラッチボルト１６の後退を阻止し、施錠状態を形成する。
【００７０】
このように本発明はラッチボルト１６の一部が破断しても、応急的に施解錠を行えるから、ドア錠の所期の防御機能と防犯効果を発揮することができる。
【産業上の利用可能性】
【００７１】
このように本発明のドア錠は、例えば錠内部のラッチボルトが破断した際、その異状状態を外部から容易に確認可能にするとともに、その異状時でも施解錠可能にして、その応急的な使用と異状時における防御機能と防犯機能を確保し得るようにしている。
【符号の説明】
【００７２】
１                ドア
１６              ラッチボルト
２２              チェックマ−ク
２４，２５        係合ピン
２９，３０        係合突起
３４              連結板
３９，４０        切欠溝
５３              ラッチカム
５４              カムア−ム      
【図１】
2011026789.tif 000003
【図２】
2011026789.tif 000004
【図３】
2011026789.tif 000005
【図４】
2011026789.tif 000006
【図５】
2011026789.tif 000007
【図６】
2011026789.tif 000008
【図７】
2011026789.tif 000009
【図８】
2011026789.tif 000010
【図９】
2011026789.tif 000011
【図１０】
2011026789.tif 000012
【図１１】
2011026789.tif 000013
【図１２】
2011026789.tif 000014
【図１３】
2011026789.tif 000015